(57)【要約】【課題】初心者である撮影者に対して撮影条件の変更を促すとともにどのように変更すればよいのかも通知することができる撮影装置およびその撮影装置における撮影方法を提供する。【解決手段】ホワイトバランスを含めた撮影条件が不適当であったときにＬＣＤパネル１１７Ａ上に適正な撮影条件を表示して撮影条件の変更を促す画面を表示する。撮影者が初心であってもその画面の表示を見ながら操作により撮影条件を簡単に、かつ正しく変更してすぐに撮影を行なうことができるようにする。【選択図】  図３
2009182831.tif 000002
【特許請求の範囲】
【請求項１】
撮像素子上に被写体を結像させ撮影操作に応じて撮影画像を生成する撮影装置において、
ユーザ操作を受けて撮影条件を設定する撮影条件設定手段と、
前記撮像素子で撮影操作前に得られる画像に基づいて適正な撮影条件を算出する撮影条件算出手段と、
前記撮影条件設定手段で設定された第１の撮影条件と前記撮影条件算出手段で算出された撮影条件とを比較し該第１の撮影条件が適正であるか否かを判定する撮影条件比較手段と、
前記撮影条件比較手段で前記第１の撮影条件が不適正であると判定された場合に、適正な撮影条件を明示して撮影条件の変更を促す画面を表示する撮影条件表示手段と、
撮影操作に応じて、前記撮影条件設定手段で設定された撮影条件に基づく撮影画像を
生成する撮影手段とを備えたことを特徴とする撮影装置。
【請求項２】
撮像素子上に被写体を結像させ撮影操作に応じて撮影画像を生成する撮影装置における撮影方法であって、
ユーザ操作を受けて撮影条件を設定する撮影条件設定ステップと、
前記撮像素子で撮影操作前に得られる画像に基づいて適正な撮影条件を算出する撮影条件算出ステップと、
前記撮影条件設定ステップで設定された第１の撮影条件と前記撮影条件算出ステップで算出された撮影条件とを比較し該第１の撮影条件が適正であるか否かを判定する撮影条件比較ステップと、
前記撮影条件比較ステップで前記第１の撮影条件が不適正であると判定された場合に、適正な撮影条件を明示して撮影条件の変更を促す画面を表示する撮影条件表示ステップと、
ユーザ操作を受けて操作条件を変更する撮影条件変更ステップと、
撮影操作に応じて、前記撮影条件設定ステップで変更された撮影条件に基づく撮影画像を生成する撮影ステップとを有することを特徴とする撮影方法。
【発明の詳細な説明】
【技術分野】
【０００１】
本発明は、撮像素子上に被写体を結像させ撮影操作に応じて撮影画像を生成する撮影装置およびその撮影装置における撮影方法に関する。
【背景技術】
【０００２】
マニュアル操作で露出やピントの設定を行なって撮影を行なうことができるデジタルカメラがある。このようなデジタルカメラを使って撮影を行なうときには高度な撮影知識が必要になるため、大抵ハイアマチュアと呼ばれる熟練者か、プロが上記のようなデジタルカメラを使用することとなる。
【０００３】
また上記のようなハイアマチュアやプロを目指している人達の中にも上記デジタルカメラを使用する人達がいる。このような人達はそのデジタルカメラを使って何度も撮影を行なっていくことで撮影知識や撮影技術の習得に励んでスキルアップを図ることになる。したがって、上記のようなデジタルカメラにはその初心者である撮影者が設定誤りなどをしたときに警告を発して通知する機能等が付加されていることが望まれる。
【０００４】
特許文献１等には、初心者である撮影者のことを考えて、前回の撮影からの経過時間をタイマーで計時して所定の経過時間を経過した場合には撮影条件の変更を行なうべき旨の警告を発して前回の撮影条件のまま撮影を行なうことを防止する技術が提案されている。
【０００５】
また、特許文献２，３等には、初心者である撮影者のことを考えて、露出などの撮影条件の設定が不適当であった場合には表示画面等を用いて警告を発して撮影者に設定の誤りを通知する技術が提案されており、特許文献４には前回の撮影時に高感度設定が行なわれて現在も高感度設定中である場合にはその旨を通知する技術が提案されている。また、特許文献５〜７には、撮影条件としてホワイトバランス等を含めて設定の誤りを検出する技術が提案されている。
【０００６】
これらの特許文献の技術を駆使して初心者である撮影者に撮影条件の設定誤り等が的確に通知されると、撮影者はその通知により撮影技術や撮影知識を徐々に習得していってスキルアップを図ることが可能となる。
【０００７】
ところで特許文献１〜７の技術では、露出やホワイトバランスなどの撮影条件の設定誤りが検出されて設定誤りがあるということが撮影者に通知されるが、初心者である撮影者は設定誤りがあるということを通知されてもどのように撮影条件を直せば良いのかがわからないことがある。
【特許文献１】特開平１０−９６９８９号公報
【特許文献２】特開２００１−１４５００１号公報
【特許文献３】特開２００５−１７３３６０号公報
【特許文献４】特開２００５−２６０７９３号公報
【特許文献５】特開平５−２８４５１８号公報
【特許文献６】特開平７−１６２８７２号公報
【特許文献７】特開２０００−１５６８７０号公報
【発明の開示】
【発明が解決しようとする課題】
【０００８】
本発明は、上記欠点を解決し、撮影者が適正な撮影条件に容易に変更することができる撮影装置およびその撮影装置における撮影方法を提供することを目的とするものである。
【課題を解決するための手段】
【０００９】
上記目的を達成する本発明の撮影装置は、撮像素子上に被写体を結像させ撮影操作に応じて撮影画像を生成する撮影装置において、
ユーザ操作を受けて撮影条件を設定する撮影条件設定手段と、
上記撮像素子で撮影操作前に得られる画像に基づいて適正な撮影条件を算出する撮影条件算出手段と、
上記撮影条件設定手段で設定された第１の撮影条件と上記撮影条件算出手段で算出された撮影条件とを比較し該第１の撮影条件が適正であるか否かを判定する撮影条件比較手段と、
上記撮影条件比較手段で上記第１の撮影条件が不適正であると判定された場合に、撮影条件の変更を促す画面を表示する撮影条件表示手段と、
撮影操作に応じて、上記撮影条件設定手段で設定された撮影条件に基づく撮影画像を
生成する撮影手段とを備えたことを特徴とする。
【００１０】
上記本発明の撮影装置によれば、上記撮影条件比較手段によって上記撮影条件設定手段により設定された第１の撮影条件と、上記撮影条件算出手段で算出された撮影条件とが比較されその第１の撮影条件が不適正であると判定された場合には、上記撮影条件表示手段によって適正な撮影条件が明示されて撮影条件の変更を促す画面が表示される。このため初心者である撮影者は、この画面上の表示にしたがって上記撮影条件設定手段で撮影条件を適正な撮影条件に変更して撮影を行なうことができる。
【００１１】
ここで、上記撮影条件表示手段が撮影条件の変更を促す画面を表示するにあたっては、例えばいくつかの適正な撮影条件を表示画面上に表示するとともに、撮影者にその表示画面上のいくつかの撮影条件のうちのいずれかを選択させる構成にすることが考えられる。このような構成にすると、初心者である撮影者は、撮影条件の当初の設定に誤りがあったときにその表示画面を見ながら操作によりその撮影条件を撮影に適したものに簡単に、かつ正しく変更することが可能となる。
【００１２】
上記目的を達成する本発明の撮影方法は、撮像素子上に被写体を結像させ撮影操作に応じて撮影画像を生成する撮影装置における撮影方法であって、
ユーザ操作を受けて撮影条件を設定する撮影条件設定ステップと、
上記撮像素子で撮影操作前に得られる画像に基づいて適正な撮影条件を算出する撮影条件算出ステップと、
上記撮影条件設定ステップで設定された第１の撮影条件と上記撮影条件算出ステップで算出された撮影条件とを比較し該第１の撮影条件が適正であるか否かを判定する撮影条件比較ステップと、
上記撮影条件比較ステップで上記第１の撮影条件が不適正であると判定された場合に、撮影条件の変更を促す画面を表示する撮影条件表示ステップと、
ユーザ操作を受けて操作条件を変更する撮影条件変更ステップと、
撮影操作に応じて、上記撮影条件設定ステップで変更された撮影条件に基づく撮影画像を生成する撮影ステップとを有することを特徴とする。
【００１３】
例えば上記本発明の撮影方法を実現する手順が示されたプログラムが撮影装置内部に配備されると、そのプログラムの手順にしたがって、撮影装置は、上記撮影条件比較ステップで上記撮影条件設定手段で設定された第１の撮影条件が適正であるかどうかを判定し、不適正であると判定した場合には撮影条件表示ステップへ進んで撮影条件の変更を促す画面を表示画面上に表示し、撮影条件変更ステップで撮影者がその画面を見ながら撮影条件を変更したことを受けて変更された撮影条件を内部設定して上記撮影ステップでその撮影条件で撮影者の撮影操作に応じて撮影を実施することとなる。
【００１４】
このため、撮影者は、撮影条件の当初の設定に誤りがあったときには表示画面上の表示内容にしたがって撮影条件を適正な撮影条件に変更して撮影を行なうことができる。
【発明の効果】
【００１５】
以上、説明したように、撮影者が適正な撮影条件に容易に変更することができる撮影装置およびその撮影装置における撮影方法が実現する。
【発明を実施するための最良の形態】
【００１６】
以下、図を参照して本発明の実施の形態を説明する。
【００１７】
図１は、本発明の撮影装置の一実施形態であるデジタルカメラを斜め上前方から見た外観斜視図である。
【００１８】
図１に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００１９】
また、このデジタルカメラ１００の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを交互に切り換えることができるようになっている。また、詳細は後述するが、本実施形態のデジタルカメラ１００は、ホワイトバランス（以降ＷＢという）やＴＯＮＥやＣＯＬＯＲやＩＳＯ感度等の画像パラメータの設定を行なうことができる構成になっている。これらの画像パラメータの設定は、背面側のメニュー／ＯＫボタン（後述する）の操作によりＷＢ，ＴＯＮＥ，ＣＯＬＯＲ，ＩＳＯそれぞれについての設定画面が表示画面上に表示された後、その表示画面上の設定画面中の複数の選択項目のうちのいずれかが十字キーのキー操作によって選択され、さらにＯＫボタンが操作されることにより行なわれる構成になっている。なお、ＴＯＮＥは、いわゆるγ補正値を指し、ＣＯＬＯＲは色調を指す。
【００２０】
図２は、図１に示すデジタルカメラの背面を示す外観図である。
【００２１】
図２に示すデジタルカメラ１００の背面には、ＬＣＤパネル１１７Ａ、ファインダ１２４、ＭＥＮＵ／ＯＫボタン１１８、ＤＩＳＰ／ＢＡＣＫボタン１１９、フォトモードボタン１２０、再生ボタン１２１、十字キー１２２、ズームボタン１２３などが備えられている。
【００２２】
ＬＣＤ１１７Ａは、撮影レンズにより被写体光を捉えて生成された画像データからなる画像、および種々の設定時における情報を表示するものである。
【００２３】
ＭＥＮＵ／ＯＫボタン１１８は、撮影時や再生時における各種のメニューをＬＣＤパネル１１７Ａ上に表示させたり、表示されたメニューの中から所望のメニューを選択し決定するためのボタンである。ここで前述した様に、本実施形態のデジタルカメラには画像パラメータの設定画面が配備されており、ＭＥＮＵ／ＯＫボタン１１８と後述する十字キー１２２の操作によってＷＢ、ＴＯＮＥ、ＣＯＬＯＲ、ＩＳＯ等の画像パラメータが設定されるとそれらの画像パラメータが内部に設定されて撮影が行なわれる。
【００２４】
ＤＩＳＰ／ＢＡＣＫボタン１１９は、ＬＣＤパネル１１７Ａ上に表示された画面の状態を切り換えたり、ＭＥＮＵ／ＯＫボタン１１８等による操作を１つ前の状態に戻したり操作を取り消したりするためのボタンである。
【００２５】
フォトモードボタン１２０は、ピクセル数，感度，色味，プリント枚数等を設定するためのボタンである。
【００２６】
再生ボタン１２１は、メモリカードなどの記録媒体に記録された撮影画像を、ＬＣＤ１１７に再生表示するためのボタンである。
【００２７】
十字キー１２２は、様々なモードでその役割が変化し、例えば静止画モードではマクロキーやフラッシュキーであったり、再生モードではＬＣＤパネル１１７Ａに表示したサムネイルの選択キーであったりする。マクロキーは、マクロ撮影を行なうか否かを切り換えるためのキースイッチであり、一度押下するとマクロ撮影モードとなり、再度押下するとマクロ撮影モードが解除される。フラッシュキーは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのキースイッチである。
【００２８】
ズームボタン１２３は、右方に向けて押下することにより望遠側（テレ側）にズームインするとともに左方に向けて押下することにより広角側（ワイド側）にズームアウトするためのボタンである。
【００２９】
図３は、図１、図２のデジタルカメラの内部構成を示す構成ブロック図である。
【００３０】
図３には、本発明に関係する構成要素を抜粋して示してある。レンズ１１１０と撮像手段１３０１とＬＣＤ１１７以外は、マイクロコンピュータ１３０で構成されているとする。なお撮像手段１３０１は、マイクロコンピュータ１３０からの制御信号に基づいて画像信号を生成し生成した画像信号を出力するものであり、ＬＣＤ１１７はマイクロコンピュータ１３０からの制御信号に基づいて画像信号に基づく画像を表示するものである。
【００３１】
まず、図３を参照して内部構成を説明する。
【００３２】
ズーム鏡胴１１１（図１参照）内にはレンズ１１１０が備えられており、そのレンズ１１１０によって撮像手段１３０１内の撮像素子（不図示）に被写体像が結像される。この撮像手段１３０１には、他にホワイトバランス調整部やγ補正部や感度調整部等が配備されており、図２に示すメニュー／ＯＫボタン１１８と十字キー１２２の操作により設定された画像パラメータをマイクロコンピュータ１３０が受け取ってそのマイクロコンピュータ１３０内に構成されている撮影条件設定手段１３０６によってその画像パラメータが上記ホワイトバランス調整部やγ補正部や感度調整部等に設定される。このときにこの撮像手段１３０１に供給された画像パラメータは、撮影条件保持手段１３０７にも供給されその撮影条件保持手段１３０７内に一時記憶され、後述する撮影条件算出手段１３０３で算出された撮影条件と比較される。
【００３３】
つまり本実施形態においては、撮影条件保持手段１３０６に一次記憶された画像パラメータが本発明にいう第１の撮影条件の一例を構成する。こうして本発明にいう第１の撮影条件の一例となる画像パラメータが撮像手段１３０１に設定されて撮像手段１３０１によって撮像が行なわれる。
【００３４】
そしてこの撮像手段１３０１で生成されたＲ，Ｇ，Ｂの各色信号からなる画像信号が次段の測光手段１３０２に供給されその測光手段１３０２で測光が行なわれる。この測光結果が後段の撮影条件算出手段１３０３に供給され、上記第１の撮影条件に対して今回の撮影において推奨される撮影条件が算出される。図３には、ＴＯＮＥは何れの画像パラメータ（ＨＡＲＤ，ＳＴＤ，ＯＲＧ）であっても良く、ＷＢ＝晴れ、ＣＯＬＯＲ＝ＳＴＤ、ＩＳＯ＝２００が今回の撮影における最適の撮影条件であるということが示されている。
【００３５】
さらに次の撮影条件比較手段１３０４によって撮影条件算出手段１３０３で算出された撮影条件と撮影条件保持手段１３０７内の本発明にいう第１の撮影条件とが比較され、不適正であると判定された場合には、マイクロコンピュータ１３０内に構成されている撮影条件表示手段１３０５によってＬＣＤ１１７が備えるＬＣＤパネル１１７Ａ上に撮影条件の変更を促す設定画面が表示される。
【００３６】
図３の右上には、ＬＣＤパネル１１７Ａ上に表示される、撮影条件の変更を促す設定画面の一例が示されている。
【００３７】
図３の右上に示す様に、ＷＢが適していない場合には、「ＷＢの設定が適していません。ＷＢを選択して「ＯＫ」を押して下さい。」のメッセージとともに、「蛍光灯（現在の設定）、晴れ（推奨設定）、ＡＵＴＯ（推奨設定）の３種類の選択項目が表示される。
【００３８】
ここで、十字キー１２２の操作により例えば「ＡＵＴＯ」が選択されＯＫボタン１１８が押されると、「ＡＵＴＯ」の内容（図３の下方のＷＢ＝晴れ、ＣＯＬＯＲ＝ＳＴＤ、ＩＳＯ＝２００）が撮像手段１３０１に設定されて撮影が行なわれる。
【００３９】
このようにすると、撮影者が初心者であってもホワイトバランスを含めた撮影条件に設定の誤りがあったときにはその設定の誤りを是正してすぐに撮影に適した撮影条件に変更することが可能となる。
【００４０】
図４は、マイクロコンピュータ１３０が実行する、本発明にいう撮影方法を示す手順が示されたプログラムのフローチャートである。
【００４１】
ステップＳ４０１でメニューボタン１１８や十字キー１２２の操作による撮影条件の変更を受けて撮影手段１３０１に撮影条件を表わす画像パラメータを設定する。次のステップＳ４０２で撮影条件（図４の例ではＷＢ＝電球、ＴＯＮＥ＝ＳＴＤ、ＣＯＬＯＲ＝ＳＴＤ、ＩＳＯ＝ＡＵＴＯ）を一旦マイクローコンピュータ１３０内部のレジスタに保存する。次のステップＳ４０３で測光手段１３０２で測光を行なう（図４の例では「晴天の屋外での撮影である」と判定している）。次のステップＳ４０４で撮影条件算出手段１３０３で測光結果に基づいて今回の撮影の撮影条件を算出する。次のステップＳ４０５へ進んでステップＳ４０５で撮影条件比較手段１３０４でその撮影条件と上記ステップＳ４０２でレジスタに保持してある第１の撮影条件との比較を行なって、一致すると判定したときには撮像手段１３０１で撮影を実施してこのフローの処理を終了する。
【００４２】
ステップＳ４０５で不一致であると判定したときには、ステップＳ４０７へ進んでステップＳ４０７で撮影条件の変更を促す画面をＬＣＤパネル１１７Ａ上に表示する。次のステップＳ４０８へ進んでステップＳ４０８で十字キー等の操作により撮影条件が変更されたことを受けて次のステップＳ４０９で撮像手段１３０１に変更された撮影条件を設定してステップＳ４０６で撮影を実施してこのフローの処理を終了する。
【００４３】
以上説明した様にマイクローコンピュータ１３０が図４のフローの処理を実行すると、ホワイトバランスを含めた撮影条件の設定に誤りがあった場合には、操作によりその撮影条件を撮影に適したものに簡単にかつ正しく変更することができる撮影方法が実現する。またその撮影方法がプログラムの形で搭載された撮影装置が実現する。
【図面の簡単な説明】
【００４４】
【図１】本発明の撮影装置の一実施形態であるデジタルカメラを斜め上前方から見た外観斜視図である。
【図２】図１に示すデジタルカメラの背面を示す外観図である。
【図３】図１、図２のデジタルカメラの内部構成を示す構成ブロック図である。
【図４】マイクロコンピュータ１３０が実行する、本発明にいう撮影方法を示す手順が示されたプログラムのフローチャートである。
【符号の説明】
【００４５】
１００  デジタルカメラ
１１１    ズーム鏡胴
１１１０    レンズ
１１２    フラッシュ発光窓
１１３    ＡＦ補助光ランプ
１１４    電源スイッチ
１１５    レリーズボタン
１１６    撮影モードダイヤル
１１７    ＬＣＤ
１１７Ａ    ＬＣＤパネル
１１８    ＭＥＮＵ／ＯＫボタン
１１９    ＤＩＳＰ／ＢＡＣＫボタン
１２０    フォトモードボタン
１２２    十字キー  
１２３    ズームボタン  
１２４    ファインダ１２４
１３０    マイクロコンピュータ
１３０１    撮像手段
１３０２    測光手段
１３０３    撮影条件算出手段
１３０４    撮影条件比較手段
１３０５    撮影条件表示手段
１３０６    撮影条件設定手段
１３０７    撮影条件保持手段    
【図１】
2009182831.tif 000003
【図２】
2009182831.tif 000004
【図３】
2009182831.tif 000005
【図４】
2009182831.tif 000006